(57)【特許請求の範囲】
【請求項１】
使用者の着座可能な座面の両側に前後方向に延びる態様で設けられた肘掛け部と、該肘掛け部の上面側に設けられ前記使用者の腕を前記肘掛け部とで挟持可能なカバー片とを備え、前記肘掛け部の上面と前記カバー片の下面との間で空気袋の膨縮による施療を行うマッサージ椅子であって、
前記肘掛け部の前端には前記カバー片が幅方向の回動軸にて傾動可能に組み付けられており、
前記肘掛け部の上面には前記空気袋が備えられるとともに、前記カバー片の下面には前記使用者の腕のツボ押圧用突部が一体に設けられ、膨縮する前記空気袋と前記ツボ押圧用突部とで前記使用者の腕を上下方向に圧迫する施療を行うことを特徴とするマッサージ椅子。
【請求項２】
請求項１に記載のマッサージ椅子において、
前記ツボ押圧用突部は、前記カバー片に一体成形されていることを特徴とするマッサージ椅子。
【請求項３】
請求項１または２に記載のマッサージ椅子において、
前記ツボ押圧用突部は、前記使用者の前腕部のツボである手三里及び曲池にそれぞれ対応して独立して設けられていることを特徴とするマッサージ椅子。
【発明の詳細な説明】
【技術分野】
【０００１】
本発明は、空気袋を膨縮させ使用者に施療を行うマッサージ椅子に関するものである。
【背景技術】
【０００２】
従来、マッサージ椅子の肘掛け部等などに設けた空気袋をエアポンプにより膨脹及び収縮させ、使用者に施療を行うマッサージ椅子が広く知られている（例えば特許文献１及び特許文献２参照）。
【０００３】
特許文献１及び特許文献２のマッサージ椅子では、肘掛け部と、その肘掛け部の上方に肘掛け部の上面に対して接離可能かつ所定間隔以上の離間が規制されたカバー片とが設けられており、肘掛け部とカバー片との間には手や腕などを挿入することができるようになっている。また、肘掛け部とカバー片とが対向する肘掛け部の上面及びカバー片の下面には、エアポンプからの空気の給排により膨縮する空気袋が設けられており、これら空気袋で使用者の腕（主として前腕部）を上下方向に挟持して押圧する施療を行っている。また両文献とも、カバー片側の空気袋にて、前腕部の手三里や曲池というツボを集中的に押圧する構成となっており、より高質な施療が行えるようになっている。
【特許文献１】特開２００５−１７７２７９号公報
【特許文献２】特開２００５−３４９１３０号公報
【発明の開示】
【発明が解決しようとする課題】
【０００４】
しかしながら、上記のマッサージ椅子では、肘掛け部の上面及びカバー片の下面のそれぞれに設けられる空気袋にて腕を挟持する構成のため、多くの空気袋が使用されているが、空気袋の数に比例するようにエアポンプと空気袋とを接続する配管路や、各配管路の途中に設けられた電磁弁などの部品の部品点数が増える要因となっていた。そのため、簡素な構成でも、高質な施療が遜色なく行えるように構成するのが望まれていた。
【０００５】
本発明は、上記課題を解決するためになされたものであって、その目的は、簡素な構成でも、腕への高質な施療を行うことができるマッサージ椅子を提供することにある。
【課題を解決するための手段】
【０００６】
上記課題を解決するために、使用者の着座可能な座面の両側に前後方向に延びる態様で設けられた肘掛け部と、該肘掛け部の上面側に設けられ前記使用者の腕を前記肘掛け部とで挟持可能なカバー片とを備え、前記肘掛け部の上面と前記カバー片の下面との間で空気袋の膨縮による施療を行うマッサージ椅子であって、前記肘掛け部の前端には前記カバー片が幅方向の回動軸にて傾動可能に組み付けられており、前記肘掛け部の上面には前記空気袋が備えられるとともに、前記カバー片の下面には前記使用者の腕のツボ押圧用突部が一体に設けられ、膨縮する前記空気袋と前記ツボ押圧用突部とで前記使用者の腕を上下方向に圧迫する施療を行うことをその要旨とする。
【０００７】
この発明では、肘掛け部の上面には空気袋が備えられるとともに、カバー片の下面には使用者の腕のツボ押圧用突部が一体に設けられ、膨縮する空気袋とツボ押圧用突部とで使用者の腕を上下方向に圧迫する施療が行われる。そのため、肘掛け部の上面及びカバー片の下面のそれぞれに空気袋を設けた場合と比較して、空気袋の数及びそれに関わる配管路や電磁弁等の数を少なく簡素に構成でき、空気袋とツボ押圧用突部とで腕に対して高質な施療を行うことができる。
【０００８】
請求項２に記載の発明は、請求項１に記載のマッサージ椅子において、前記ツボ押圧用突部は、前記カバー片に一体成形されていることをその要旨とする。
この発明では、ツボ押圧用突部がカバー片に一体成形されたことで、例えばツボ押圧用突部を別部品としてカバー片に取り付けて構成した場合と比較して部品点数を少なくでき、より簡素な構成を図ることができる。
【０００９】
請求項３に記載の発明は、請求項１または２に記載のマッサージ椅子において、前記ツボ押圧用突部は、前記使用者の前腕部のツボである手三里及び曲池にそれぞれ対応して独立して設けられていることをその要旨とする。
【００１０】
この発明では、ツボ押圧用突部は、使用者の前腕部のツボである手三里及び曲池にそれぞれ対応して独立して設けられている。これにより、手三里と曲池とを独立して押圧することができ、より効果的な施療を行うことができる。
【発明の効果】
【００１１】
本発明によれば、簡素な構成でも、腕への高質な施療を行うことができるマッサージ椅子を提供することができる。
【発明を実施するための最良の形態】
【００１２】
以下、本発明を具体化した一実施形態を図面に従って説明する。
図１は、本実施形態のマッサージ椅子１０を示す。マッサージ椅子１０は、左右一対の支持脚部１１にて支持された座面１２の後端に背もたれ部１３が幅方向の回動軸にて傾動可能に組み付けられ、該座面１２の後端にオットマン１４が同方向の回動軸にて傾動可能に組み付けられている。座面１２の両側には、前後方向に延びる肘掛け部１５が組み付けられている。
【００１３】
肘掛け部１５の前端には、カバー片１６が幅方向の回動軸にて傾動可能に組み付けられている。即ち、カバー片１６は、その後端自由端側が肘掛け部１５の上面１５ａから所定角度で拡開するように設けられており、使用者の前腕部Ａ（図２及び図３参照、腕の肘から手側部分）が肘掛け部１５との間に挿入できるようになっている。カバー片１６と対向する肘掛け部１５の上面１５ａには空気袋１７が設置され、肘掛け部１５の上面１５ａと対向するカバー片１６の下面１６ａには２つのツボ押圧用突部１８，１９が肘掛け部１５側に向けて突出する態様でカバー片１６に一体に設けられている。この場合、カバー片１６は樹脂成形品であり、ツボ押圧用突部１８，１９はその成形に伴って一体成形される。
【００１４】
ツボ押圧用突部１８，１９は、図２に示すように、膨縮する空気袋１７とで肘掛け部１５及びカバー片１６との間に挿入された使用者の前腕部Ａの施療を行うためのものであり、図３に示すように使用者の前腕部Ａのツボである手三里と曲池とを独立して刺激するように設けられている。また、ツボ押圧用突部１８，１９は、手三里と曲池とをそれぞれ押圧する長方形状の押圧面１８ａ，１９ａを有し、該押圧面１８ａ，１９ａの長手方向である幅方向長さがカバー片１６の幅方向長さと同程度とされ、手三里と曲池とを押圧するには十分広い面積で形成されている。
【００１５】
肘掛け部１５の上面１５ａに設置される空気袋１７には、可撓性を有する配管路としての接続ホース２０の先端が接続され、該接続ホース２０の基端は、座面１２の下側の支持脚部１１間に設置される駆動装置２１に向けて取り回されている。
【００１６】
駆動装置２１は、家庭用商用電源の供給に基づいて電動駆動されるエアポンプ２２と、該エアポンプ２２にそれぞれ接続された複数の電磁弁２３（図１では１つのみ図示）とから構成されている。電磁弁２３の吐出側接続部２３ａには肘掛け部１５側の空気袋１７から延びる接続ホース２０の基端が接続されている。
【００１７】
そして、エアポンプ２２の駆動により圧縮空気が生成され、電磁弁２３が大気開放側から供給側に切り替わると、該エアポンプ２２からの圧縮空気が接続ホース２０を通じて空気袋１７が膨張する。このとき、空気袋１７の膨脹に伴って上方向（カバー片１６側）に押し上げられる使用者の前腕部Ａがツボ押圧用突部１８，１９に押し付けられるようになっている。一方、空気袋１７の所定の膨張動作が終了すると、電磁弁２３が供給側から大気開放側に切り替わり、空気袋１７内の空気が大気に開放され、該空気袋１７の収縮動作となる。施療時には、この膨張・収縮動作が繰り返される。
【００１８】
これにより、肘掛け部１５とカバー片１６との間に使用者の前腕部Ａを挿入した状態（この場合、手のひらを肘掛け部１５の上面１５ａに向けて配置）では、ツボ押圧用突部１８，１９が前腕部Ａの上面にある手三里や曲池などのツボを押圧し、所定押圧後、空気袋１７の空気が抜かれて収縮し、その押圧状態から解放される。このように前腕部Ａには、上下方向からの押圧に基づく揉みや圧迫といった施療が行われる。
【００１９】
因みに、このマッサージ椅子１０には、座面１２の両側部には臀部用の一対の空気袋２４が設置され、背もたれ部１３の下部両側には腰部用の一対の空気袋２５が設置され、オットマン１４にはふくらはぎ部用の複数の空気袋２６が設置されている。各空気袋２４〜２６は、エアポンプ２２及び各空気袋２４〜２６に対応する電磁弁（図示略）の作動により膨縮が行われて、臀部や腰部、ふくらはぎ部といった各施療部位もエアマッサージが行われるようになっている。
【００２０】
次に、本実施形態の特徴的な作用効果を記載する。
（１）肘掛け部１５の上面１５ａには空気袋１７が備えられるとともに、カバー片１６の下面１６ａには使用者の腕を押圧するツボ押圧用突部１８，１９が一体に設けられ、膨縮する空気袋１７とツボ押圧用突部１８，１９とで使用者の前腕部Ａを上下方向に圧迫する施療が行われる。そのため、例えば肘掛け部１５の上面１５ａ及びカバー片１６の下面１６ａのそれぞれに空気袋を設けた場合と比較して、空気袋の数及びそれに関わる接続ホースや電磁弁等の数を少なく簡素に構成でき、空気袋１７とツボ押圧用突部１８，１９とで前腕部Ａに対して高質な施療を行うことができる。
【００２１】
（２）ツボ押圧用突部１８，１９がカバー片１６に一体成形されたことで、例えばツボ押圧用突部１８，１９を別部品としてカバー片１６に取り付けて構成した場合と比較して部品点数を少なくでき、より簡素な構成を図ることができる。
【００２２】
（３）ツボ押圧用突部１８，１９は、使用者の前腕部Ａのツボである手三里及び曲池にそれぞれ対応して独立して設けられている。これにより、手三里と曲池とを独立して押圧することができ、より効果的な施療を行うことができる。
【００２３】
（４）ツボ押圧用突部１８，１９は、手三里と曲池とをそれぞれ押圧する長方形状の押圧面１８ａ，１９ａを有し、該押圧面１８ａの長手方向である幅方向長さがカバー片１６の幅方向長さと同程度とされ、手三里と曲池とを押圧するには十分広い面積で形成されている。そのため、肘掛け部１５の上面１５ａに挿入する前腕部Ａが推奨位置からずれたとしても、手三里や曲池のツボを刺激することが可能である。また、使用者の身体の大きさ、つまり前腕部Ａの大きさの違いにも対応することができる。
【００２４】
尚、本発明の実施形態は、以下のように変更してもよい。
・上記実施形態では、カバー片１６に２つのツボ押圧用突部１８，１９を設けているが、これに限らず、ツボ押圧用突部を１つ若しくは３つ以上の突起を設けてもよい。
【００２５】
・上記実施形態では、ツボ押圧用突部１８，１９を使用者の前腕部Ａの手三里や曲池といったツボを押圧するような位置に設けているが、これに限らず、その他のツボでもよい。
【００２６】
・上記実施形態では、ツボ押圧用突部１８，１９の押圧面１８ａ，１９ａを広い面積の長方形状としたが、手三里や曲池などのツボをより集中的に押圧すべくその面積を小とした突起状にツボ押圧用突部を形成してもよい。
【００２７】
・上記実施形態では、カバー片１６にツボ押圧用突部１８，１９を一体成形しているが、カバー片１６とは別部材で構成したツボ押圧用突部１８，１９をカバー片１６に取り付けるようにしてもよい。
【００２８】
・上記実施形態では、特に言及していないが、背もたれ部１３に使用者の背中を施療する揉み玉による機械式のマッサージ機構を備えていてもよい。
【図面の簡単な説明】
【００２９】
【図１】本実施形態におけるマッサージ椅子の概略構成図である。
【図２】前腕部挿入時の説明をするための説明図である。
【図３】ツボ押圧用突部の位置を説明するための説明図である。
【符号の説明】
【００３０】
１０…マッサージ椅子、１２…座面、１５…肘掛け部、１５ａ…上面、１６…カバー片、１６ａ…下面、１７…空気袋、１８，１９…ツボ押圧用突部、Ａ…前腕部（腕）。
【図１】
0005021520.tif 000002
【図２】
0005021520.tif 000003
【図３】
0005021520.tif 000004